(57)【特許請求の範囲】
【請求項１】
マイクロホンユニットと、
周壁に軸線方向に沿って複数の第１開口が形成されていて内方に前記マイクロホンユニットが装着されている第１音響管と、
前記音響管の前記開口を塞ぐ第１音響抵抗材と、
を備える狭指向性マイクロホンであって、
前記狭指向性マイクロホンは、前記第１音響管の外側に所定の間隙を空けて被せられる第２音響管を更に備え、
前記第２音響管は、周壁に軸線方向に沿って複数の第２開口が形成されているとともに、前記第２音響管の前記第２開口を塞ぐ第２音響抵抗材を有している狭指向性マイクロホン。
【請求項２】
前記第１音響管の複数の前記第１開口のうち、前記狭指向性マイクロホンの集音方向と反対側にある前記第１開口は前記第２音響管に覆われていない請求項１記載の狭指向性マイクロホン。
【請求項３】
前記第２音響管に覆われていない前記第１開口の内側に前記マイクロホンユニットが装着されている請求項２記載の狭指向性マイクロホン。
【請求項４】
前記第２音響管は、前記狭指向性マイクロホンの集音方向と反対側の端部において前記第１音響管と密着している請求項１乃至３の何れかに記載の狭指向性マイクロホン。
【請求項５】
マイクロホンユニットと、周壁に軸線方向に沿って複数の第１開口が形成されていて内方に前記マイクロホンユニットが装着されている第１音響管と、前記音響管の前記開口を塞ぐ第１音響抵抗材と、を備える狭指向性マイクロホンに用いられるアダプタであって、
前記アダプタは、前記第１音響管の外側に所定の間隙を空けて被せられる第２音響管であり、
前記第２音響管は、周壁に軸線方向に沿って複数の第２開口が形成されているとともに、前記第２音響管の前記第２開口を塞ぐ第２音響抵抗材を有している狭指向性マイクロホン用アダプタ。
【発明の詳細な説明】
【技術分野】
【０００１】
本発明は、音響管内にマイクロホンユニットを装着してなる狭指向性マイクロホンおよび狭指向性マイクロホン用アダプタに関する。より具体的には、音響管を長くすることなく低い周波数においても高い指向性を得ることのできる狭指向性マイクロホンおよび狭指向性マイクロホン用アダプタに関する。
【背景技術】
【０００２】
音響管を用いる従来の狭指向性マイクロホンの例として、金属管等からなる音響管を用い、この音響管の周壁にスリット状などの開口を中心軸線方向に設け、合成樹脂薄膜、不織布などからなる音響抵抗体を音響管の周壁に貼り付けて、上記開口を音響抵抗体で覆ったものがある。かかる構成の狭指向性マイクロホンは、音響管の前端開口から回り込んで入る音波を、音響抵抗体を経て音響管の周壁開口から導かれる音波と干渉させることにより、狭指向性を実現している。
【０００３】
狭指向性マイクロホンとして、特許文献１に示すように、細長い音響管を用いるものが知られている。これは、音響管の一端部内周側にマイクロホンユニットを装着し、音響管の他端である前端の開口から入ってくる音波をマイクロホンユニットで検出し音声信号に変換するものである。
【０００４】
具体的には、上記音響管は、アルミニウム等の金属で構成され、その軸方向両端が開口した干渉パイプで、その先端から後端にわたってその周壁には軸方向に間隔をおいて複数個の音響抵抗用の開口が設けられている。これら開口を覆うように干渉パイプの周面には不織布等で構成された音響抵抗材が貼り付けられている。
【０００５】
複数の開口は円周方向に１８０度の間隔をおいた部分にも形成され、同様に音響抵抗材が貼り付けられている。この開口の列に対して円周方向に９０度の間隔をおいてかつ先端から後端にわたってその円周面には軸方向に長い長孔が軸方向に間隔をおいて複数個設けられている。
【０００６】
これら長孔を覆うように干渉パイプにはフッ化ビニリデンのような合成樹脂の薄膜で構成されたダイヤフラムが貼り付けられている。
【０００７】
上述したような音響管を用いた従来の狭指向性マイクロホンの別の例の概略を、図を用いて説明する。図３に示すように、狭指向性マイクロホン１は、音響管２、音響抵抗材３、マイクロホンユニット４、グリップ５を有してなる。音響管２は金属などからなる細長い円筒状の部材で、その周壁に音響管の中心軸線と平行に複数の開口２２が形成されている。
【０００８】
図３において、音響管２の左端を前端、右端を後端とすると、後端部内周側にマイクロホンユニット４が配置されている。音響管２の周壁には、上記開口２２を覆って音響抵抗材３が貼り付けられている。音響管２は長さ方向両端が開放されている。音響管の前端の開口２４は、前方から音波を導き入れる。音響管２の後端部には、音響管２に続いて円筒形状のグリップ５が一体に結合されている。
【先行技術文献】
【特許文献】
【０００９】
【特許文献１】特開昭６２−１１８６９７号公報
【発明の概要】
【発明が解決しようとする課題】
【００１０】
上述したように、狭指向性マイクロホンの指向性は音響管による音波への干渉によって生じるため、音波の波長と音響管の長さにより影響を受ける。具体的には、長い音響管を用いれば低い周波数帯域まで狭指向性が得られるが、短い音響管を用いる場合には、高い周波数帯域においてしか狭指向性を得ることができない。
【００１１】
そのため、長い音響管を用いれば低い周波数帯域まで狭指向性を得ることができるが、音響管が長くなるとマイクロホンの全長が長くなり、取り扱いに不便なものとなる。
【００１２】
また、周波数特性を犠牲にしてでも高い狭指向性が求められる場合がある。
【００１３】
本発明は上記課題に鑑みてなされたものであって、音響管を長くすることなく低い周波数帯域まで狭指向性を得ることのできる狭指向性マイクロホンを得ることを目的とする。
【００１４】
本発明はまた、周波数特性を犠牲にしてでも高い狭指向性が求められる場合に対応可能な狭指向性マイクロホン用アダプタを提供することを目的とする。
【課題を解決するための手段】
【００１５】
本発明に係る狭指向性マイクロホンは、マイクロホンユニットと、周壁に軸線方向に沿って複数の第１開口が形成されていて内方にマイクロホンユニットが装着されている第１音響管と、音響管の開口を塞ぐ第１音響抵抗材と、を備える狭指向性マイクロホンであって、狭指向性マイクロホンは、第１音響管の外側に所定の間隙を空けて被せられる第２音響管を更に備え、第２音響管は、周壁に軸線方向に沿って複数の第２開口が形成されているとともに、第２音響管の第２開口を塞ぐ第２音響抵抗材を有していることを最も主要な特徴とする。
【発明の効果】
【００１６】
本発明によると、音響管を長くすることなく低い周波数帯域まで狭指向性を得ることができる。また、本発明によると、周波数特性を犠牲にしてでも高い狭指向性が求められる場合に対応することができる。
【図面の簡単な説明】
【００１７】
【図１】本発明に係る狭指向性マイクロホンの実施例を示す部分断面側面図である。
【図２】上記狭指向性マイクロホンの要部断面図である。
【図３】上記の狭指向性マイクロホンに用いられている第２音響管を示し、（Ａ）は側面図、（Ｂ）は縦断面図、（Ｃ）は正面図である。
【図４】上記第２音響管の要部拡大断面図である。
【図５】上記狭指向性マイクロホンから第２音響管を取り外した状態を示す要部断面図である。
【図６】従来の狭指向性マイクロホンユニットの例を示す側面図である。
【発明を実施するための形態】
【００１８】
以下、本発明に係る狭指向性マイクロホンの実施例について、図を用いて説明する。なお、従来の狭指向性マイクロホンと同じ構成については、同じ符号を付してある。
【００１９】
図１〜図５に示すように、狭指向性マイクロホンは、第１音響管２、第１音響抵抗材３、第２音響管６、第２音響抵抗材６６、マイクロホンユニット４、グリップ５、外カバー７を有してなる。
【００２０】
第１音響管２は金属などからなる細長い円筒状の部材で、その周壁に音響管の中心軸線と平行に複数の第１開口２２が形成されている。
【００２１】
第１音響管２の周壁には、第１開口２２を覆って第１音響抵抗材３が貼り付けられている。第１音響管２は長さ方向両端が開放されている。第１音響管２の前端の開口２４は、前方から音波を導き入れる。第１音響管２の後端部には、第１音響管２に続いて円筒形状のグリップ５が一体に結合されている。第１音響管２とグリップ５の外側は、側壁に音波が通過する複数の開口部７２を有する円筒状の外カバー７で覆われている。
【００２２】
第２音響管６は第１音響管よりも大きな径を有する細長い円筒状の部材で、第１音響管２と同様、その周壁に音響管の中心軸線と平行に複数のスリット状の第２開口６２が形成されている。
【００２３】
第２音響管６は、所定の間隔を空けて外カバー７を覆うように、狭指向性マイクロホン１に設けられている。これにより、第２音響管６と、外カバー７の内部に位置する第１音響管２との間には所定の間隔が形成され、この間隔が空気室８となる。狭指向性マイクロホン１の集音方向と反対側の端部において、ガスケット６４により第２音響管６と第１音響管２との密着が確立されている。第１音響管２の複数の第１開口２２のうち、狭指向性マイクロホン１の集音方向と反対側にある第１開口２２２は、共振を防止するため、第２音響管６に覆われていない。第１音響管２の第２音響管６に覆われていない部分の内側に、マイクロホンユニット４が装着されている。
【００２４】
第２音響管６の周壁には、第２開口６２を覆って第２音響抵抗材６６が貼り付けられている。第２音響管６は長さ方向両端が開放されている。
【００２５】
このようにして形成された狭指向性マイクロホン１では、正面（第２音響管６の前端の開放方向）からの音波は、第１音響管２の前端の開口２４に導き入れられ、ほとんど減衰することなくマイクロホンユニット４の振動板に到達する。
【００２６】
一方、正面以外の角度からの音波、すなわち、第２音響管６の第２開口６２から入り第２音響抵抗材６６を通過した音波は、第２音響管６と第１音響管２の間に形成される空気室８に入り込む。そして、空気室８に入り込んだ音波はさらに内側の第１音響管２の第１音響抵抗３を介して第１音響管２の内部に入り込む。第１音響管２の正面以外の角度からの音波は、第１音響管２の正面からも空気室８に入り込む。この正面から空気室８に入り込んだ音波と上記第２開口６２から空気室８に入り込んだ音波との間には、経路差に起因する位相差が存在することから、これらの音波は互いに干渉し合う。そして、正面以外の角度からの音波はこの干渉により、減衰する。
【００２７】
上述したように、本発明に係る狭指向性マイクロホンによると、正面以外の角度からの音波は干渉により減衰するため、音響管の長さを長くすることなく、低い周波数においても従来の狭指向性マイクロホンよりも高い狭指向性を得ることができる。なお、本発明に係る狭指向性マイクロホンは、音響管を充分長くした従来の狭指向性マイクロホンよりも周波数特性において劣る。しかし、周波数特性を犠牲にしてでも高い狭指向性が求められる場合に、好適に用いることができる。
【００２８】
第１音響管と第２音響管を接着により一体化すると、第２音響管を取り外すことはできない。しかし、第２音響管を取り外し可能なアダプタとして、第２音響管を備えていない従来の狭指向性マイクロホンに装着することで、本発明に係る狭指向性マイクロホンと同様の効果を付与することができる。
【００２９】
例えば、特許文献１に記載されているような狭指向性マイクロホンにも、上記第２音響管をアダプタとして装着することができ、狭指向性をより高めることができる。上記第２音響管をアダプタとして狭指向性マイクロホンに着脱可能な構成にしておけば、より高い狭指向性が求められる場合に上記アダプタを装着し、狭指向性よりも周波数特性が重要視される場合には、上記アダプタを取り外して使用する、というような使い分けができる。
【符号の説明】
【００３０】
１  狭指向性マイクロホン
２  第１音響管
２２  第１開口
３  第１音響抵抗材
４  マイクロホンユニット
５  グリップ
６  第２音響管
６２  第２開口
６４  ガスケット
６６  第２音響抵抗
７  外カバー
７２  開口部
８  空気室
【図１】
0005602088.tif 000002
【図２】
0005602088.tif 000003
【図３】
0005602088.tif 000004
【図４】
0005602088.tif 000005
【図５】
0005602088.tif 000006
【図６】
0005602088.tif 000007